(57)【要約】【課題】  パイプを挿入するだけで接続することのできる管継手において、パイプの内周面側をシールする内径シールタイプであっても、通水面積を確保し、充分な通水量を得る。【解決手段】  管継手Ａは、パイプ５が外嵌されるスリーブ１６が形成された継手本体１と、この継手本体１に結合され、パイプ５の外周面を覆うナット２と、パイプ５をスリーブ１６に対し水密的に接続するためのシール部材３と、パイプ５の周面に食い込む抜け止め部材４とを備え、前記スリーブ１６の内周面には先端がスリーブ１６の開口端部より露出するようにインコア１９が固定され、このインコア１９の外周面でスリーブ１６の開口端部上面側にシール部材３を装着した。【選択図】  図２
2005147187.tif 000002
【特許請求の範囲】
【請求項１】
パイプが外嵌されるスリーブが形成された継手本体と、この継手本体に結合され、パイプの外周面を覆うナットと、パイプをスリーブに対し水密的に接続するためのシール部材と、パイプの周面に食い込む抜け止め部材とを備え、前記スリーブの内周面には先端がスリーブの開口端部より露出するようにインコアが固定され、このインコアの外周面でスリーブの開口端部上面側にシール部材を装着したことを特徴とする管継手。
【請求項２】
前記シール部材はインコアの外周面に複数個装着され、互いのシール部材の間にスペーサを介在させたことを特徴とする請求項１記載の管継手。
【請求項３】
前記インコアはシール部材より開口側先端にスペーサを介在させたことを特徴とする請求項１または２記載の管継手。
【発明の詳細な説明】
【技術分野】
【０００１】
本発明は、給水用，給湯用等のパイプが接続される管継手に関するものである。
【背景技術】
【０００２】
従来、給水用，給湯用のパイプを挿入するだけで接続することができ、しかも容易に抜けないようにした差込式の管継手は、パイプが管継手に挿入された場合にパイプと管継手との間で水密的に接続されるようにシール部材によりシールを行なう。そして、このシール部材によるシールの方法として、パイプの外周面側にシール部材が密着してシールする外径シールタイプと呼ばれるものと、パイプの内周面側にシール部材が密着してシールする内径シールタイプと呼ばれるものとがある。この外径シールタイプと呼ばれる管継手の場合、パイプは通常外周面が露出した状態で保管されているため、管継手に接続される前、又は接続時に傷が付いたり異物が付着することがあり、管継手に接続しても漏水する恐れがあった。これに対し内径シールタイプと呼ばれる管継手の場合、パイプの内周面側に対しシール部材が密着するもので、内周面側は通常露出していないので、傷が付いたり異物が付着することがなく、外径シールタイプの漏水が発生するという問題を解決することのできるものである。そして、内径シールタイプの管継手として公知のものに特許文献１のものがある。
【０００３】
この特許文献１の管継手は、パイプが外嵌される円筒状のスリーブが形成された継手本体と、前記スリーブの外周面と向かい合う食い込み溝が形成されたリングと、このリングをパイプへ締め付けるナットとを備え、前記スリーブの外周面には溝孔が形成され、この溝孔にはシール部材を装着し、ナットを継手本体に螺合した後に、パイプをスリーブとナットとの間に挿入してスリーブに外嵌すると、パイプは内周面側がシール部材により水密的にシールされ、外周面側にリングの食い込み溝が食い込み、スリーブとリングとにより挟着されて、継手本体に接続されるものである。
【０００４】
【特許文献１】特開２００１−１２４２５８号公報
【発明の開示】
【発明が解決しようとする課題】
【０００５】
前記管継手では、パイプは管継手の案内筒に外嵌され、継手本体との間はシール部材によりシールされるものである。このようないわゆる内径シールタイプによる管継手は、パイプの外周面側をシールする外径シールと比較してパイプの外周に傷が付くことがないものであるが、パイプの内周面側に案内筒が挿入されるため、その案内筒の肉厚だけパイプの通水路に通水面積を確保することができない。案内筒は外周面にシール部材が装着されるため、案内筒の肉厚はそのシール部材が装着される溝孔よりもさらに厚くする必要があり、案内筒の肉厚が厚いほどパイプの通水面積が狭くなり、このような管継手は大量の通水量を必要とする場所では使用することができないという問題を備えていた。
【０００６】
本発明は、このような従来の技術に存在する問題点に着目してなされたものであり、その課題は、パイプを挿入するだけで接続することのできる管継手において、パイプの内周面側をシールする内径シールタイプであっても、通水面積を確保し、充分な通水量を得ることである。
【課題を解決するための手段】
【０００７】
上記目的を達成するため、請求項１に記載の発明による管継手は、パイプが外嵌されるスリーブが形成された継手本体と、この継手本体に結合され、パイプの外周面を覆うナットと、パイプをスリーブに対し水密的に接続するためのシール部材と、パイプの周面に食い込む抜け止め部材とを備え、前記スリーブの内周面には先端がスリーブの開口端部より露出するようにインコアが固定され、このインコアの外周面でスリーブの開口端部上面側にシール部材を装着したものである。
【０００８】
請求項２では請求項１記載の発明による管継手において、前記シール部材はインコアの外周面に複数個装着され、互いのシール部材の間にスペーサを介在させたものである。
【０００９】
請求項３では請求項１または２記載の発明による管継手において、前記インコアはシール部材より開口側先端にスペーサを介在させたものである。
【発明の効果】
【００１０】
本発明の請求項１の管継手は、パイプが外嵌されるスリーブが形成された継手本体と、この継手本体に結合され、パイプの外周面を覆うナットと、パイプをスリーブに対し水密的に接続するためのシール部材と、パイプの周面に食い込む抜け止め部材とを備え、前記スリーブの内周面には先端がスリーブの開口端部より露出するようにインコアが固定され、このインコアの外周面でスリーブの開口端部上面側にシール部材を装着した。従って、スリーブにはシール部材が装着されないので肉厚を薄くすることができ、スリーブの内径を広くすることで通水路の通水面積が確保され、大量の通水量を必要とする場所にも対応可能であり、管継手の使用範囲を大幅に広げることができる。
【００１１】
請求項２または３の管継手によると、互いのシール部材の間にスペーサを介在させたので、パイプの内周面は広い面積でシール及びスペーサと密着し、パイプをスリーブに安定した状態で外嵌させることができる。
【発明を実施するための最良の形態】
【００１２】
以下、本発明の実施例を図に基づいて詳細に説明する。
【実施例１】
【００１３】
本発明の管継手Ａは図１乃至図３に示すように、パイプ５が接続される継手本体１と、この継手本体１に螺着して結合されるナット２と、パイプ５を継手本体１に対し水密的に接続するためのシール部材３と、パイプ５の周面に食い込む抜け止め部材４とを備え、パイプ５と管継手Ａとはシール部材３により水密的に接続され、抜け止め部材４によりパイプの管継手Ａに対する抜け止めが行なわれるものである。
【００１４】
前記継手本体１は略円筒状で、金属材料からなるもので、内部軸線方向には水又は湯（以下、本実施形態では水として説明する。）が通過する通水路１１が貫通して形成されており、略中央にはスパナ等の締め付け工具が係止されるように、外周面を例えば六角形状とした工具係止部１２が形成され、この工具係止部１２の一端側外周に、他の継手を接続するための第１雄ねじ部１４が刻設された連結部１３が形成され、他端側の外周面には前記ナット２の雌ねじ部２５が螺着される第２雄ねじ部１５が刻設されており、この第２雄ねじ部１５より先端には円筒状のスリーブ１６が雄ねじ部１５よりやや小径に形成されている。
【００１５】
前記スリーブ１６は開口端部の上面側にシール部材３とスペーサ１８とが装着される。シール部材３はパイプ５の内周面に異物が付着していた場合の異物の捕捉と、漏水を防止するためのもので、ゴム等の弾性材からなり、パイプ５が後述する挿入ガイド２１又はシール部材３に外嵌されるとシール部材３は収縮し、パイプ５の内周面に水密的に密着してシールが確実となるようにしている。
【００１６】
スペーサ１８はスリーブ１６に対しシール部材３を複数個装着する場合に、互いのシール部材３，３の間と、外側のシール部材３の開口側先端に装着されるものであり、本実施例では互いのスペーサは形状が異なり、パイプ５を継手本体１に対し安定した状態で外嵌するためのものである。なお、スペーサの形状は任意に変形可能である。
【００１７】
インコア１９は、前記シール部材３及びスペーサ１８を装着した状態でスリーブ１６の内周面に固定されるものである。このインコア１９は略円筒状で、例えばステンレス鋼のように薄くて強度の高い材質からなり、継手本体１の略中心まで挿入されるものであり、その基端部は通水路１１の内周面に形成されたテーパー部１１ａに密着するようにかしめ作業を行なうことで強固に結合させることができるものである。なお、インコアのスリーブに対する固定方法は例えば接着でもよい。また、インコア１９の開口部側端面には外周側に湾曲させた支持部２０が形成されている。このようにインコアは外周面にシール部材とスペーサとを装着した状態でスリーブに固定すると、スリーブの外周面側にシール部材を装着する必要がなく、スリーブはシール部材を装着するために肉厚を厚くする必要がなくなり、水が通過する通水路の通水面積を広くすることができる。
【００１８】
前記挿入ガイド２１は図１に示すように、一方のシール部材３を覆うことのできる長さの円筒部２２と、スリーブ１６の先端と向かい合う端縁に円筒部２２よりやや大径に形成された鍔部２３とからなり、スペーサ１８、シール部材３及びスリーブ１６の外周面にスライド自在に外嵌されるものである。そしてパイプ５がスリーブ１６に外嵌されると、円筒部２２の内周面はシール部材３の外周面に密着し、さらにパイプ５を挿入すると、図３に示すように鍔部２３はスリーブ１６の基端に形成されたストッパー１７に当接して停止するものである。
【００１９】
ナット２は内周面入口に前記継手本体１の第２雄ねじ部１５に螺着する雌ねじ部２５が形成され、パイプ５が挿入される開口部２６には抜け止め部材４が一体に結合され、この抜け止め部材４は、パイプ５の外周面に食い込むことでパイプ５が継手本体１から抜け出さないようにするための爪２７が環状に等間隔で複数個形成されており、各爪２７はナット２の開口部２６を覆って内側に折り返し、内周側に向けて突出している。
【００２０】
本発明における管継手の組み立てについて説明すると、まず継手本体１のスリーブ１６に対しインコア１９を固定する。即ち、インコア１９は外周面にシール部材１７とスペーサ１８とを交互に装着した状態で、継手本体１の通水路１１に挿入し、連結部１３側から支持部２０に対しかしめ作業を行なうことで、通水路１１のテーパー部１１ａに固定される。
【００２１】
本発明においてパイプ５を管継手Ａに接続するには、図３に示すようにパイプ５の先端をナット２の開口部２６から挿入し、インコア１９に外嵌すると、パイプ５の内周面は挿入ガイド２１の円筒部２２外周面に外嵌し、円筒部２２はパイプ５の内周面とインコア１９の外周面とに挟圧された状態となり、円筒部２２の内周面がシール部材３の外周面全体を均一に押圧しつつシール部材３を覆う。
【００２２】
さらにパイプ５を奥に挿入すると、挿入ガイド２１の鍔部２３が継手本体１のストッパー１７に当接したところで停止する。この時、パイプ５は継手本体１のスリーブ１６、シール部材３およびスペーサ１８と、ナット２との間で挟着され、しかもナット２に固定された抜け止め部材４の各爪２７がパイプ５の外周面に食い込み、引き抜くことができない。
【実施例２】
【００２３】
図４は実施例１の変形例による管継手を示している。前記実施例ではパイプの抜け止め用の抜け止め部材をナットの開口部に結合したが、本実施例ではインコア１９ａの支持部２０ａに、パイプ５の抜け止め用の抜け止め部材４ａが結合されたものである。この場合、爪２７ａはパイプ５の内周面側に食い込むものである。このように抜け止め部材はインコアに結合してもよい。なお、図４において図３に示されているものと同等あるいは同一の構成には、図３に付けた符号と同一の符号を付けてその説明を省略する。また、抜け止め部材はナットとインコアの両方に結合して、パイプの外周側と内周側との両方を食い込むようにしてもよい。
【００２４】
以上のように本発明の管継手によると、スリーブにはシール部材が装着されないので肉厚を薄くすることができ、スリーブの内径を広くすることで通水路の通水面積が確保され、大量の通水量を必要とする場所にも対応可能であり、管継手の使用範囲を大幅に広げることができる。
【図面の簡単な説明】
【００２５】
【図１】実施例１の管継手の分解斜視図である。
【図２】実施例１の管継手にパイプを接続する前の状態の縦断面図である。
【図３】実施例１の管継手にパイプを接続した状態の縦断面図である。
【図４】実施例２の管継手にパイプを接続する前の状態の縦断面図である。
【符号の説明】
【００２６】
１            ：継手本体
２            ：ナット
３            ：シール部材
４，４ａ      ：抜け止め部材
５            ：パイプ
１６          ：スリーブ
１８          ：スペーサ
１９，１９ａ  ：インコア
Ａ            ：管継手
【図１】
2005147187.tif 000003
【図２】
2005147187.tif 000004
【図３】
2005147187.tif 000005
【図４】
2005147187.tif 000006